(57)【要約】【課題】マイナスイオンの優れた作用と昇華性薬剤の優れた作用とを同時に長期間に亘って持続出来、惹いてはこれ等の相乗作用により、夫々の作用をより協力に発揮させうる手段を開発すること【解決手段】昇華性薬剤成分をカプセル化したものと、マイナスイオン発生物質とを、必要に応じバインダー成分を用いてシート状基材に担持せしめるか、または該バインダー成分を用いてシート状に成形せしめたこと【選択図】なし【特許請求の範囲】
【請求項１】
（イ）昇華性薬剤成分をカプセル化したもの、と
（ロ）マイナスイオン発生物質とを、
（ハ）必要に応じバインダー成分を用いて
（ニ）シート状基材に担持せしめるか、または該バインダー成分を用いてシート状に成形せしめたことを特徴とするマイナスイオン発生シート状物質
【請求項２】
上記昇華性薬剤成分が消臭、芳香、抗菌、防虫、防カビ、動物忌避、森林浴成分である請求項１に記載のシート状物質
【請求項３】
上記マイナスイオン発生物質が、トルマリン、レアーアース鉱石である請求項１に記載のシート状物質
【請求項４】
シート状基材が不織布、フィルター、服地芯、プレートである請求項１に記載のシート状物質
【発明の詳細な説明】
【０００１】
【産業上の利用分野】
本発明はマイナスイオン発生シート状物質に関し、その目的とする所は昇華性薬剤の作用を長期間持続せしめると共に、この際同時にマイナスイオンを発生せしめることが出来るシート状物質を提供せんとするものである。
【０００２】
【従来の技術】
マイナスイオンを発生する物質自体は従来よく知られており、またマイナスイオンが健康増進に極めて有効であることも良く知られている。そしてこのマイナスイオン発生物質として、代表的なものとして、トルマリンやジルコン系鉱物、更にはその他各種レアーアース鉱石等が使用され、バインダー樹脂と混合した組成物として良く用いられている。
【０００３】
またこのマイナスイオン発生物質を遠赤外線を放射する物質と併用することも実際に行われている。
しかし乍ら、このマイナスイオン発生物質と昇華性の各種薬剤とを併用する試みは全く行われていない。
【０００４】
この理由は、マイナスイオン発生物質からのマイナスイオンの発生は、かなり長時間持続するが、昇華性薬剤はすぐに昇華してしまい、長期間持続しないものであるため、これ等相反する特徴のために併用されていなかった。
このため昇華性薬剤の優れた作用と、マイナスイオンによる優れた作用とを同時に、しかも相乗的に発揮出来る手段は全く開発されておらず、現在強くその実現が要望されている。
【０００５】
【発明が解決しようとする課題】
従って本発明が解決しようとする課題は、従来の上記要望に応えることであり、更に詳しくは、マイナスイオンの優れた作用と昇華性薬剤の優れた作用とを同時に長期間に亘って持続出来、惹いてはこれ等の相乗作用により、夫々の作用をより協力に発揮させうる手段を開発することである。
【０００６】
【課題を解決するための手段】
この課題は、昇華性薬剤をカプセル化し、このカプセル化した薬剤と、マイナスイオン発生物質とをバインダを用いてシート状に成形するか、或いはシート状基材にバインダーを用いて、あるいは用いずに、更には適宜な手段で担持させることにより解決される。
このように昇華性薬剤をカプセル化して、使用しているために、該薬剤は除々に昇華して長期間その作用を持続し、マイナスイオン発生と相まって極めて優れた作用を発揮する。
【０００７】
【発明の作用】
本発明のシート状物質は基本的には下記の（イ）〜（ニ）の手段から成っている。
（イ）昇華性薬剤をカプセル化したもの
（ロ）マイナスイオン発生物質
（ハ）必要に応じバインダー成分を用いて、
（ニ）シート状基材に上記（イ）及び（ロ）を担持せしめるか、シート状に成形すること
の手段からなっている。
【０００８】
本発明に於いて用いる（イ）昇華性薬剤としては昇華性を有する各種薬剤が広く使用出来、その代表的なものを例示すると、消臭剤、抗菌剤、防虫剤、防カビ剤、芳香剤、動物忌避剤、森林浴成分等を挙げることが出来、その他たとえば（１）各種車用、（２）オシボリ・スチーマー、（３）防虫（部屋用、屋外用）、（４）冷蔵庫、冷凍庫（消臭、抗菌、鮮度保持）、（５）灰皿用、（６）トイレ、玄関、キッチン、その他部屋内の消臭、抗菌、防虫、（７）エアコン用、（８）扇風機、（９）冷風扉、（１０）加湿機、除湿機等に使用されて来た各種薬剤が広く包含される。そして本発明のシート状物質も当然のこと乍ら、これ等上記各種用途に使用される。
【０００９】
本発明に於いては、この昇華性薬剤（イ）は、カプセル化して使用する必要がある。
このカプセル化自体は、従来から知られている各種のカプセル化手段が広く適用出来、無機質のカプセル化材を用いても良く、また有機質カプセル化材を用いても良い。たとえば無機質カプセル化材としては良く知られているケイ酸カルシウム系やシリカ系のものが例示出来、前者としてはたとえば日本インシュレーション（株）製の軽量（多孔質）無機粉体やたとえば非晶質シリカ粉体、ケイ酸カルシウム粉体（マイクロカプセル）等が例示出来る。その他鈴木油脂工業（株）製の多孔質シリカ粒子等も例示出来る。
【００１０】
有機質カプセル化材としても合成樹脂の発泡体をはじめ多孔質澱粉系カプセル化材等を例示出来る。
【００１１】
代表的なカプセル化方法を示せば以下の通りである。即ちゼラチン・アルギン酸ソーダなどの天然高分子、カルボキシメチルセルロース・エチルセルロースなどの半合成高分子や、ポリビニルアルコール・ナイロンポリアミド・ポリウレタン・ポリエステル・エポキシ樹脂・メラミン樹脂・ホルマリン系樹脂などの合成高分子、或いはワックスなどの油脂類が挙げられる。
【００１２】
本発明に於いては、このカプセル化に際し、マイナスイオン発生物質そのものをカプセル化材として使用することも出来る。たとえばマイナスイオン発生物質として、酸化ジルコニウム（ＺｒＯ２）とシリカ（ＳｉＯ２）が６０％以上含まれるレアーアース鉱石を使用する場合は、このマイナスイオン発生物質そのものが無機質であって多孔性であるため、これを用いて常法にしたがって、昇華性薬剤をカプセル化すれば良い。
【００１３】
このマイナスイオン発生物質を用いてカプセル化する手段を若干更に説明すること、マイナスイオン発生物質に薬剤原液または希釈液をベタ付かない程度に混合するか、スラリー状のマイナスイオン発生物質に薬剤を混入する。
【００１４】
本発明に於いて使用するマイナスイオン発生物質としては、従来から、マイナスイオンを発生することが知られている物質を、いずれも広い範囲で使用することが出来る。その代表的なものを例示すると、トルマリンジルコン系鉱石、レアーアース鉱石をはじめマイナスイオン発生物質として知られている、黒曜石、岐阜麦飯石、南京麦飯石、貴宝石、角閃石等も例示することが出来る。
【００１５】
本発明に於いては、このマイナスイオン発生物質と昇華性薬剤とを使用することが必要であるが、これ等両者の割合は、前者１００重量部に対し、後者１０〜３０重量部好ましくは３〜５重量部である。
【００１６】
これ等両者は適宜なシート状基材に担持される。この際シート状基材としては、その材質や形状、サイズ等は限定されず、その使用目的に合せて適宜な基材が選択的に使用される。たとえば各種織布、不織布、樹脂製シートやプレート、発泡ウレタン材、生分解性プラスチック、各種ワックス、各種ゴム、各種用紙類、壁紙類等を例示できる。
【００１７】
本発明に於いては、これ等シート状基材に上記マイナスイオン発生物質と昇華性薬剤を担持させて使用する態様が含まれ、この際の担持手段としては、バインダーを用いて担持させる手段ばかりでなく、その他、塗料やインクに混合して塗装、印刷や糊などの接着剤に混入して貼ったり、またはワックスに練り込んで家具やフローリングに塗布したり、コーティング材としてスプレーで塗布する等の手段を例示出来る。
【００１８】
また、バインダーを用いて組成物を作成し、各種シートやプレートに成形して使用しても良い。
【００１９】
本発明のシート状物質は、長期に亘り、マイナスイオンと薬剤との作用を同時に発揮するので、広く各種の分野に極めて有効に使用される。たとえばその使用分野を示せば以下の通りである。
【００２０】
（Ａ）シート状として、不織布、服地芯、フィルター等に適用して、表１に示す分野に使用する。
【００２１】
【表１】
2004018724.tif 000002
【００２２】
（Ｂ）フィトンチッド・フィルターとして使用する。この場合を表２に示す。
【００２３】
【表２】
2004018724.tif 000003
【００２４】
【表３】
2004018724.tif 000004
【００２５】
本発明のシート状物質は前記した通り、従来の薬剤の説明で述べた各種用途にも使用できる。。
【実施例】
以下に実施例を示して本発明を詳しく説明する。
【００２６】
【実施例　１】
マイナスイオン発生物質として、レアアース鉱石混合体（洛東化成工業株式会社製マイナスイオン原体）を使用し、薬剤としてヒノキチオール、ササの抽出油、シナモンなどハーブ抽出精油を個々にシリカマイクロカプセルに封入し、混合した物を使用し、これら両者を３対１の重量割合で混合したもの２００ｇを６００ｇのバインダーに混入し、約２０００ｇの水で薄め、発泡ウレタン１０００ｍ／ｍ×２０００ｍ／ｍに、表裏数回ずつスプレー塗布し、常温乾燥させて「消臭・抗菌・防虫・マイナスイオン」フィルター（シート状物質）として調製した。このものを６カ月間、ファンに取り付けファン型フィルターとして使用しても、マイナスイオンの発生は、初期に簡易マイナスイオン測定器で測定した、開放値で約５０００個／ｃｃの発生量は、そのまま持続し、薬物の十分な放出が認められた。
【００２７】
【実施例　２】
ワックスをマイクロカプセル化剤として用い、それにヒノキチオール、その他数種のハーブ抽出精油と森林浴芳香剤として白樺の抽出精油を重量比３０％程度混ぜ、溶かしたワックスに混入する。混入した混合ワックス１０ｇに対し２ｇの割合でマイナスイオン鉱石粉体を混入し、シート状に硬化させる。このプレートは、車載用の小型ファン装置の昇華プレートとして、消臭・抗菌・防虫・静電気除電、マイナスイオン効果機能発揮する。このプレートは、３ヶ月間使用しても、マイナスイオンと薬物と芳香剤の放出が認められた。
【００２８】
【実施例　３】
マイナスイオン発生物質のレアアース鉱石混合体に、ヒノキチオールなどハーブ抽出精油を、重量比３％原液を含浸させ、少し乾燥させた後、混合体２００ｇをアクリル系水性バインダー１００ｇと水５００ｇに混入し、１０００ｍ／ｍ×１０００ｍ／ｍの不織布に、表裏６回スプレーと乾燥を繰り返し付着させ調整した。このシートは、消臭・抗菌・防ダニ・マイナスイオン・ベッドシートや椅子シートに使用される。３ヶ月間の使用に置いて、マイナスイオン発生量は変わらず、ヒノキチオールなど薬剤の放出が認められた。